(57)【要約】【課題】表示装置に広告情報等の通常の操作画面以外の情報を表示している際に何等かの不具合が発生した場合でも、通常の操作画面以外の情報の表示を妨げないようにする。【解決手段】表示制御部は、表示装置に表示する内容を、通常の操作画面と広告情報や列車の運行情報等の通常の操作画面以外の情報との間で切り替えて表示するよう制御する。この表示制御部は、表示装置に列車の運行情報が表示されている時に不具合が発生した場合、列車の運行情報の表示を妨げることなく、列車の運行情報を表示装置に表示したまま警告情報生成部により生成された「紙づまりが発生しました。」という警告情報７１を表示装置に表示するよう制御する。【選択図】図１１
2009015054.tif 000002
【特許請求の範囲】
【請求項１】
通常の操作画面および通常の操作画面以外の情報を表示する表示手段と、
不具合の発生を通知するための警告情報を生成する警告情報生成手段と、
前記表示手段に通常の操作画面以外の情報が表示されている場合であって不具合が発生したとき、通常の操作画面以外の情報の少なくとも一部を表示したまま前記警告情報生成手段により生成された警告情報を前記表示手段に表示するよう制御する表示制御手段と、
を有する画像形成装置。
【請求項２】
警告情報を前記表示手段に表示するための表示方法を設定する設定手段をさらに有し、
前記表示制御手段は、前記設定手段により設定された表示方法に基づいて、前記警告情報生成手段により生成された警告情報を前記表示手段に表示するよう制御する請求項１記載の画像形成装置。
【請求項３】
前記設定手段は、指定されたジョブの種類毎に警告情報の表示方法を設定する請求項２記載の画像形成装置。
【請求項４】
前記設定手段は、発生した不具合の種類毎に警告情報の表示方法を設定する請求項２記載の画像形成装置。
【請求項５】
通常の操作画面および通常の操作画面以外の情報を表示する表示手段と、
ユーザに不具合の発生を通知するための警告情報を生成する警告情報生成手段と、
前記表示手段に通常の操作画面以外の情報が表示されている場合であって不具合が発生したとき、前記警告情報生成手段により生成された警告情報が前記表示手段に表示されないよう制御する表示制御手段と、
を有する画像形成装置。
【請求項６】
警告情報を前記表示手段に表示するか否かを設定する設定手段をさらに有し、
前記表示制御手段は、前記設定手段による設定内容に基づいて、前記警告情報生成手段により生成された警告情報を前記表示手段に表示するよう制御する請求項５記載の画像形成装置。
【請求項７】
前記設定手段は、指定されたジョブの種類毎に警告情報を表示するか否かを設定する請求項６記載の画像形成装置。
【請求項８】
前記設定手段は、発生した不具合の種類毎に警告情報を表示するか否かを設定する請求項６記載の画像形成装置。
【請求項９】
前記設定手段は、前記表示手段に表示された通常の操作画面以外の情報が印刷可能か否かに基づいて、警告情報を表示するか否かを設定する請求項６記載の画像形成装置。
【発明の詳細な説明】
【技術分野】
【０００１】
本発明は、広告情報等の通常の操作画面以外の情報の表示を行う画像形成装置に関する。
【背景技術】
【０００２】
近年、オフィス内だけでなく、コンビニエンスストア、図書館、市役所等の不特定多数の人が集まる場所にもコピー機、プリンタ等の画像形成装置が設置されるようになっている。また、操作画面を表示するために画像形成装置に設けられる表示装置も大型化されている。そのため、このような画像形成装置の表示装置に、広告情報等の通常の操作画面以外の情報を表示して表示装置を有効利用することが行われるようになっている（例えば、特許文献１参照。）。
【０００３】
この特許文献１に開示された技術では、表示装置を有効活用するため、広告表示機能付き画像形成装置において、装置の動作状態の表示に支障が生じない表示装置の位置に広告情報を表示するようにしている。しかし、このような広告情報の表示方法では、広告を広く多くの人に閲覧して欲しい場合には広告が小さすぎるという問題があった。
【０００４】
そのため、ユーザによる操作が行われていない間は表示装置の前面に広告情報を表示し、ユーザが画像形成装置を利用しようとする場合には、通常の操作画面を表示するような画面切り替えを行うようにしたものもある。このように表示装置の前面に広告情報等を表示した場合、ユーザが画像形成装置を利用しようとする際には、表示装置の表示内容を広告情報から通常の操作画面に戻す必要がある。
【０００５】
そのため、例えば、広告情報等の表示中にユーザが所定の操作を行うと画面内容を通常の操作画面に切り替え、ユーザによる操作が行われない状態で所定時間が経過した場合には操作画面から広告情報等の表示に切り替える切替制御方法が用いられている。
【０００６】
画像形成装置では、紙詰まり（ジャム）、用紙切れ、通信エラー、機器の故障等の不具合（フォルト）が発生した場合、表示装置にフォルト画面（警告情報）が表示される。そして、一般的に、このような不具合の発生をユーザに通知して不具合を解消してもらう必要があるため、フォルト画面は他の表示に優先して表示される。しかも、このようなフォルト画面は、不具合が解消されるまで表示され続けるため、広告表示が行われている最中にこのようなフォルト画面が表示され続けたのでは、広告の閲覧者にとっては情報取得の妨げになってしまう。
【０００７】
【特許文献１】特開２００１−２１７９７８号公報
【発明の開示】
【発明が解決しようとする課題】
【０００８】
上述した従来の画像形成装置では、何らかの不具合が発生した場合にフォルト画面が表示されてしまうため、広告情報等の操作画面以外の情報の表示の妨げになってしまうという問題点があった。
【０００９】
本発明の目的は、表示装置に広告情報等の通常の操作画面以外の情報を表示している際に何等かの不具合が発生した場合でも、通常の操作画面以外の情報の表示を妨げることがない画像形成装置を提供することである。
【課題を解決するための手段】
【００１０】
上記目的を達成するために、本発明の画像形成装置は、通常の操作画面および通常の操作画面以外の情報を表示する表示手段と、
不具合の発生を通知するための警告情報を生成する警告情報生成手段と、
前記表示手段に通常の操作画面以外の情報が表示されている場合であって不具合が発生したとき、通常の操作画面以外の情報の少なくとも一部を表示したまま前記警告情報生成手段により生成された警告情報を前記表示手段に表示するよう制御する表示制御手段とを有する。
【００１１】
好ましくは、警告情報を前記表示手段に表示するための表示方法を設定する設定手段をさらに有し、
前記表示制御手段は、前記設定手段により設定された表示方法に基づいて、前記警告情報生成手段により生成された警告情報を前記表示手段に表示するよう制御する。
【００１２】
本発明によれば、表示制御手段は、表示手段に通常の操作画面以外の情報が表示されている時に何等かの不具合が発生した場合でも、通常の操作画面以外の情報の少なくとも一部を表示したまま警告情報生成手段により生成された警告情報を表示手段に表示するようにしているので、通常の操作画面以外の情報の表示を妨げることがない。
【００１３】
好ましくは、前記設定手段は、指定されたジョブの種類毎に警告情報の表示方法を設定する。
【００１４】
好ましくは、前記設定手段は、発生した不具合の種類毎に警告情報の表示方法を設定する。
【００１５】
また、本発明の画像形成装置は、通常の操作画面および通常の操作画面以外の情報を表示する表示手段と、
ユーザに不具合の発生を通知するための警告情報を生成する警告情報生成手段と、
前記表示手段に通常の操作画面以外の情報が表示されている場合であって不具合が発生したとき、前記警告情報生成手段により生成された警告情報が前記表示手段に表示されないよう制御する表示制御手段とを有する。
【００１６】
本発明によれば、表示制御手段は、表示手段に通常の操作画面以外の情報が表示されている時に何等かの不具合が発生した場合でも、警告情報生成手段により生成された警告情報が前記表示手段に表示されないようにしているので、通常の操作画面以外の情報の表示を妨げることがない。
【００１７】
好ましくは、警告情報を前記表示手段に表示するか否かを設定する設定手段をさらに有し、
前記表示制御手段は、前記設定手段による設定内容に基づいて、前記警告情報生成手段により生成された警告情報を前記表示手段に表示する。
【００１８】
好ましくは、前記設定手段は、指定されたジョブの種類毎に警告情報を表示するか否かを設定する。
【００１９】
好ましくは、前記設定手段は、発生した不具合の種類毎に警告情報を表示するか否かを設定する。
【００２０】
好ましくは、前記設定手段は、前記表示手段に表示された通常の操作画面以外の情報が印刷可能か否かに基づいて、警告情報を表示するか否かを設定する。
【発明の効果】
【００２１】
以上説明したように、本発明によれば、表示装置に広告情報等の通常の操作画面以外の情報を表示している際に何等かの不具合が発生した場合でも、通常の操作画面以外の情報の表示を妨げることがないという効果を得ることができる。
【発明を実施するための最良の形態】
【００２２】
次に、本発明の実施の形態について図面を参照して詳細に説明する。図１は本発明の一実施形態の画像処理システムの構成を示す図である。
【００２３】
図１に示すように、本実施形態の画像処理システムは、ネットワーク４０を介して接続された画像形成装置１０、端末装置６０および広告情報配信サーバ３０を含む。
【００２４】
広告情報配信サーバ３０は、画像形成装置１０の表示装置に表示するための各種広告情報が格納されており、予め設定された手順に基づいて広告情報を画像形成装置１０に配信する。端末装置６０は、印刷ジョブ等の印刷データを生成して、画像形成装置１０に対して送信する。画像形成装置１０は、印刷機能、複写機能、ファクシミリ送受信機能、スキャン機能を有する複合機であり、端末装置６０から送信された印刷データを受け付けて、印刷データに応じた画像を印刷用紙上に出力するとともに広告情報配信サーバ３０から配信されてきた広告情報を表示装置に表示する。
【００２５】
なお、本実施形態では、通常の操作画面以外の情報として広告情報を用いた場合について説明するが、本発明は、鉄道の運行状況、周辺の観光案内情報、イベント情報等の広告情報以外の他の情報を通常の操作画面以外の情報として画像形成装置１０の表示装置に表示させる場合でも同様に適用可能である。
【００２６】
次に、本実施形態の画像形成装置１０の外観の拡大図を図２に示す。本実施形態の画像形成装置１０は、図２に示されるように、通常の操作画面および広告情報を表示するための表示装置１１、認証装置１２、受話器１３、課金装置１４、用紙トレイ１５を有している。
【００２７】
認証装置１２は、例えば、非接触方式のＩＣカード等の認証カードに格納されている情報を読み取ることにより、認証カードを有するユーザの認証を行う。受話器１３は、一般公衆電話回線と接続されており、通常の電話機として使用可能となっている。画像形成装置１０のファクシミリ機能を使用する場合に、先ずこの受話器１３を用いて電話回線に接続し、送信先を確認してからファクシミリデータを送信することができるようになっている。
【００２８】
課金装置１４は、認証を受けないユーザに対して画像形成装置１０の利用料金を課金するための装置である。この課金装置１４にコインを投入することにより、ユーザは、投入されたコインに相当する料金分だけ画像形成装置１０を利用することができるようになっている。つまり、このような課金装置１４が設けられていることにより、認証カードを有しないユーザに対しても画像形成装置１０の各種機能が利用可能となる。
【００２９】
用紙トレイ１５は、複写しようとする原稿、スキャナにより読み込もうとする原稿、ファクシミリ送信を行おうとする原稿をセットするためのトレイである。
【００３０】
次に、本実施形態の画像形成装置１０のハードウェア構成を図３に示す。
画像形成装置１０は、図３に示されるように、ＣＰＵ１６、メモリ１７、ハードディスクドライブ（ＨＤＤ）等の記憶装置１８、印刷装置１９、ネットワーク４０を介して広告情報配信サーバ３０、端末装置６０等の外部の装置との間でデータの送受信を行う通信インタフェース（ＩＦ）２０、タッチパネル、操作ボタンまたは表示ランプ等を含むユーザインタフェース（ＵＩ）装置２１、スキャナ２２、表示装置１１、課金装置１４、認証装置１２を有する。これらの構成要素は、制御バス２３を介して互いに接続されている。
【００３１】
ＣＰＵ１６は、メモリ１７または記憶装置１８に格納された画像処理プログラムに基づいて所定の処理を実行して、画像形成装置１０の動作を制御する。
【００３２】
図４は、上記の画像処理プログラムが実行されることにより実現される画像形成装置１０の機能構成を示すブロック図である。
【００３３】
本実施形態の画像形成装置１０は、図４に示されるように、広告情報取得部５１と、表示制御部５２と、警告情報生成部５３と、警告情報表示方法設定部５４と、表示装置１１とを備えている。
【００３４】
広告情報取得部５１は、ネットワーク４０を介して広告情報配信サーバ３０から配信されてきた広告情報を取得する。
【００３５】
表示制御部５２は、ＷＷＷ（World Wide Web）ブラウザ等のアプリケーションソフトウェアにより、広告情報取得部５１により取得された広告情報を表示するための画像データを生成する。また、表示制御部５２は、ＷＷＷブラウザ等のアプリケーションソフトウェアにより、画像形成装置１０を操作するための通常の操作画面を表示するための画像データを生成する。
【００３６】
そして、表示制御部５２は、表示装置１１の表示内容を、広告情報と通常の操作画面との間で切り替えるような表示制御を行う。この制御部５２による切替制御を図５を参照して説明する。
【００３７】
表示制御部５２は、図５に示されるように、通常の操作画面を表示するためのウィンドウ１と、広告情報等の通常の操作画面以外の情報を表示するためのウィンドウ２を予め用意しておき、手前に表示するウィンドウ切り替えることにより、表示装置１１に表示させる画面内容の切替を行っている。
【００３８】
例えば、図５（ａ）では、表示制御部５２が、通常の操作画面以外の情報が表示されているウィンドウ２をウィンドウ１の手前に表示させることにより、表示装置１１には、通常の操作画面以外の情報が表示される。そして、この状態において、図５（ｂ）に示されるように、ウィンドウ１を手前に表示させることにより、表示装置１１には、通常の操作画面が表示されることとなる。
【００３９】
このようにして、表示装置１１において通常の操作画面と通常の操作画面以外の情報とが切り替えられた場合の一例を図６に示す。
【００４０】
図６（ａ）は、「携帯電話は○○○電器店で！」という広告情報が表示装置１１に表示された場合の例を示す図であり、図６（ｂ）は、画像形成装置１０の機能を選択するためのメニュー画面という通常の操作画面が表示装置１１に表示された場合の例を示す図である。
【００４１】
警告情報生成部５３は、画像形成装置１０において紙詰まり（ジャム）、用紙切れ、通信エラー、機器の故障等の不具合（フォルト）が発生した場合、この不具合の発生をユーザに通知するための警告情報（フォルト画面）を生成する。
【００４２】
そして、表示制御部５２は、表示装置１１に広告情報が表示されている場合であって不具合が発生したとき、広告情報の少なくとも一部を表示装置１１に表示したまま警告情報生成部５３により生成された警告情報を表示装置１１に表示するよう制御する。
【００４３】
具体的には、警告情報表示方法設定部５４は、ユーザからの入力に基づいて、警告情報を表示装置１１に表示するための表示方法を設定する。そして、表示制御部５２は、警告情報表示方法設定部５４により設定された表示方法に基づいて、警告情報生成部５３により生成された警告情報を表示装置１１に表示する。
【００４４】
この場合、警告情報表示方法設定部５４は、コピー、端末装置６０によるリモートの印刷ジョブ（プリンタージョブ）、画像形成装置１０でのユーザの操作による印刷ジョブ（プリントジョブ）等の指定されたジョブの種類毎に警告情報の表示方法を設定する。また、警告情報表示方法設定部５４は、紙詰まり、用紙切れ、通信エラー、機器の故障等の発生した不具合の種類毎に警告情報の表示方法を設定する。
【００４５】
なお、表示制御部５２は、広告情報の少なくとも一部を表示したまま警告情報を表示装置１１に表示するのではなく、表示装置１１に広告情報が表示されている場合であって不具合が発生したときには、警告情報生成部５３により生成された警告情報が表示装置１１に表示されないよう制御するようにしても良い。
【００４６】
この場合には、具体的には、警告情報表示方法設定部５４は、警告情報を表示装置１１に表示するか否かを設定する。そして、表示制御部５２は、警告情報表示方法設定部５４による設定内容に基づいて、警告情報生成部５３により生成された警告情報を表示装置１１に表示する。
【００４７】
この場合、警告情報表示方法設定部５４は、コピー、プリンタージョブ、プリントジョブ等の指定されたジョブの種類毎に警告情報を表示するか否かを設定する。また、警告情報表示方法設定部５４は、紙詰まり、用紙切れ、通信エラー、機器の故障等の発生した不具合の種類毎に警告情報を表示するか否かを設定する。さらに、警告情報表示方法設定部５４は、表示装置１１に表示された広告情報が印刷可能か否かに基づいて、警告情報を表示するか否かを設定する。
【００４８】
次に、本実施形態の画像形成装置１０の動作を図面を参照して詳細に説明する。
【００４９】
警告情報表示方法設定部５４により警告情報の表示方法を設定する際に表示装置１１に表示される画面の一例を、図７に示す。
【００５０】
図７に示された例では、警告情報（フォルト表示）を表示する際の表示方法として、完全抑制、部分抑制、抑制なしという選択ができることが示されている。
【００５１】
ここで、完全抑制とは、広告情報表示中に何等かの不具合（フォルト）が発生した場合でも、警告情報の表示を完全に抑制、つまり警告情報の表示を一切行わないことを意味している。つまり、この完全抑制が選択された場合、表示制御部５２は、表示装置１１に広告情報が表示されている時には、不具合が発生した場合でも警告情報生成部５３により生成された警告情報が表示装置１１に表示されないよう制御する。
【００５２】
また、部分抑制とは、広告情報表示中に何等かの不具合が発生した場合、警告情報の表示を部分的に抑制、つまり通常の操作画面を警告情報に切り替えるのではなく、警告情報の表示を抑制して広告情報の内容が閲覧可能なようにすることを意味している。つまり、この部分抑制が選択された場合、表示制御部５２は、表示装置１１に広告情報が表示されている時に不具合が発生した場合、広告情報の少なくとも一部を表示装置１１に表示したまま警告情報を表示装置１１に表示するよう制御する。警告情報をユーザに通知する具体的な方法としては、ＬＥＤ点灯、ブザー鳴動、メッセージの表示、音声による通知等の方法がある。
【００５３】
さらに、抑制なしとは、広告情報表示中に何等かの不具合が発生した場合、通常の操作画面の表示を取り止め、警告情報の表示を行うことを意味している。
【００５４】
そして、図７に示された画面において、部分抑制が選択された場合、警告情報の表示方法としてどのような表示方法を選択するかが図８に示すような画面により選択可能となる。
【００５５】
この図８に示した例では、「ＬＥＤ点灯」が選択された場合、表示装置１１内では警告情報の表示が行われず、表示装置１１とは独立して設けられているＬＥＤを点灯することによりユーザに不具合の発生が通知されることとなる。
【００５６】
また、図８に示した例において「メッセージ表示」が選択された場合、表示装置１１に表示された広告情報内に警告情報がメッセージとして表示されることとなる。
【００５７】
さらに、図８に示した例において「ブザー鳴動」が選択された場合、表示装置１１内では警告情報の表示が行われず、表示装置１１とは独立して設けられているブザーを鳴動することによりユーザに不具合の発生が通知されることとなる。
【００５８】
なお、図７に示された画面では、警告情報の表示を行うか否か、警告情報の表示を行う場合にはどのような表示方法を用いるかが各ジョブ毎に設定することができるようになっている。図７に示した例では、「ジョブ指定」を「しない」と設定されているが、ここで「ジョブ指定」を「する」ことが選択された場合、図９に示すような画面により、ジョブ指定が可能となる。
【００５９】
この図９に示した例では、警告情報の「部分抑制」を行うジョブとして「プリンター」ジョブが選択されており、このような選択がされた場合には、端末装置６０から送信されてきた印刷ジョブ（プリンタージョブ）を実行する過程において発生した不具合についての警告情報を部分的に抑制するような設定が行われる。
【００６０】
次に、警告情報の表示制御として「部分抑制」が選択され、警告情報の表示方法として「メッセージ表示」が選択された場合の、警告情報の表示例を図１０、図１１に示す。ここでは、広告情報として、列車の運行情報が表示される場合を用いて説明する。
【００６１】
図１０に示すような列車の運行情報が表示措置１１に表示されている際に紙詰まりが発生した場合、図１１に示されるように、列車の運行情報の表示を妨げることなく「紙づまりが発生しました。」という警告情報７１が表示装置１１に表示される。
【００６２】
このように警告情報７１が表示されることにより、列車の運行情報の表示を妨げることなく、紙詰まりが発生したことをユーザに知らせることが可能となる。
【００６３】
次に、警告情報表示方法設定部５４が表示装置１１に表示された広告情報が印刷可能か否かに基づいて、警告情報の有無の自動認識を行うようにするかどうかの設定画面の一例を図１２に示す。
【００６４】
図１２に示す設定画面において「自動認識する」が選択された場合、警告情報表示方法設定部５４は、示装置１１に表示された広告情報が印刷可能か否かを自動的に認識し、印刷可能な場合には警告情報を表示するようにし、印刷可能でない場合には警告情報を表示しないようにする。
【００６５】
つまり、広告情報が印刷可能な場合には、何等かの不具合が発生して印刷機能が正常に動作しない可能性があるため、警告情報を表示するが、広告情報が印刷可能でない場合には、印刷機能が正常に動作するかどうかを表示してユーザに通知する必要がないため警告情報を表示しないようにするのである。
【００６６】
図１２に示すような設定画面において「自動認識する」が選択された場合には、図１３に示すように、「詳細情報印刷」と表示された印刷実行ボタン７２が列車運行情報の表示中に含まれ、この列車運行情報が印刷可能な場合にのみ、「紙づまりが発生しました。」という警告情報７１のメッセージが表示される。なお、列車運行情報が印刷可能でない場合には、警告情報７１のメッセージは表示されない。
【００６７】
なお、何等かの不具合が発生して印刷機能が正常に動作しない場合には、警告情報７１を表示する代わりに印刷実行ボタン７２を表示しないようにしてもよい。
【００６８】
本実施形態の画像形成装置１０では、表示制御部５２は、表示装置１１に広告情報等が表示されている時に何等かの不具合が発生した場合でも、警告情報表示方法設定部５４の設定内容に基づいて、広告情報等の少なくとも一部を表示したまま警告情報を表示装置１１に表示するようにしたり、警告情報が表示装置１１に表示されないように制御する。従って、本実施形態の画像形成装置１０によれば、表示装置１１に広告情報等が表示されている時に何等かの不具合が発生した場合でも、広告情報等の表示が妨げられることがない。
【図面の簡単な説明】
【００６９】
【図１】本発明の一実施形態の画像処理システムの構成を示すシステム図である。
【図２】本発明の一実施形態の画像形成装置１０の外観の拡大図である。
【図３】本発明の一実施形態の画像形成装置１０のハードウェア構成を示すブロック図である。
【図４】本発明の一実施形態の画像形成装置１０の機能構成を示すブロック図である。
【図５】表示制御部５２による切替制御の一例を説明するための図である。
【図６】表示装置１１において通常の操作画面と広告情報とが切り替えられる制御の一例を示す図である。
【図７】警告情報表示方法設定部５４により警告情報の表示方法を設定する際に表示装置１１に表示される画面の一例を示す図である。
【図８】警告情報表示方法設定部５４によりフォルト表示方法を設定する際に表示装置１１に表示される画面の一例を示す図である。
【図９】警告情報表示方法設定部５４により警告情報の表示方法を設定するジョブ指定の際に表示装置１１に表示される画面の一例を示す図である。
【図１０】不具合が発生する前の列車の運行情報の表示の一例を示す図である。
【図１１】不具合が発生した後の列車の運行情報の表示の一例を示す図である。
【図１２】警告情報表示方法設定部５４が表示装置１１に表示された広告情報が印刷可能か否かに基づいて、警告情報の表示の有無の自動認識を行うようにするかどうかの設定画面の一例を示す図である。
【図１３】警告情報の表示の有無の自動認識を行うよう設定した場合に、印刷可能な列車運行情報の画面において警告情報７１のメッセージが表示された際の一例を示す図である。
【符号の説明】
【００７０】
１０    画像形成装置
１１    表示装置
１２    認証装置
１３    受話器
１４    課金装置
１５    用紙トレイ
１６    ＣＰＵ
１７    メモリ
１８    記憶装置
１９    印刷装置
２０    通信インタフェース（ＩＦ）
２１    ユーザインタフェース（ＵＩ）装置
２２    スキャナ
２３    制御バス
３０    広告情報配信サーバ
４０    ネットワーク
５１    広告情報取得部
５２    表示制御部
５３    警告情報生成部
５４    警告情報表示方法設定部
６０    端末装置
７１    警告情報
７２    印刷実行ボタン
【図１】
2009015054.tif 000003
【図２】
2009015054.tif 000004
【図３】
2009015054.tif 000005
【図４】
2009015054.tif 000006
【図５】
2009015054.tif 000007
【図６】
2009015054.tif 000008
【図７】
2009015054.tif 000009
【図８】
2009015054.tif 000010
【図９】
2009015054.tif 000011
【図１０】
2009015054.tif 000012
【図１１】
2009015054.tif 000013
【図１２】
2009015054.tif 000014
【図１３】
2009015054.tif 000015